【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
複数のノズルが設けられた記録ヘッドと、
前記ノズルの吐出不良の発生の有無を検出するノズルチェックを実行するノズルチェック実行部と、を備え、
前記ノズルチェック実行部は、
複数の前記ノズルについて、順次、吐出不良の発生の有無を検出していくと共に、所定の動作の実行が指示されたか否かを監視し、前記所定の動作の実行が指示された場合、吐出不良の発生の有無の検出が完了していない前記ノズルについては、当該検出の対象となる前記ノズルを間引いて当該検出を行うことを特徴とする記録装置。
【請求項２】
前記ノズルチェック実行部は、
ノズルチェックを実行する場合、過去のノズルチェックにおいて吐出不良の発生の有無の検出の対象とならなかった前記ノズルについて、優先的に、当該検出を実行することを特徴とする請求項１に記載の記録装置。
【請求項３】
前記所定の動作は、前記ノズルを間引いた前記検出が完了した後、実行されることを特徴とする請求項１または２に記載の記録装置。
【請求項４】
前記所定の動作は、ノズルチェックと並行して実行することが出来ない動作であることを特徴とする請求項１から３のいずれか１項に記載の記録装置。
【請求項５】
前記ノズルチェック実行部は、
前記ノズルからインク滴を導電材に吐出し、前記導電材を流れる電流の状態を検出し、検出した電流の状態に基づいて、インクの吐出不良が発生しているか否かを検出するものであり、
前記所定の動作とは、電流の状態の検出に悪影響を与えるノイズを生じさせる動作であることを特徴とする請求項１から４のいずれか１項に記載の記録装置。
【請求項６】
複数のノズルが設けられた記録ヘッドを備え、前記ノズルの吐出不良の発生の有無を検出するノズルチェックを実行可能に構成されたる記録装置の制御方法であって、
複数の前記ノズルについて、順次、吐出不良の発生の有無を検出していくと共に、所定の動作の実行が指示されたか否かを監視し、前記所定の動作の実行が指示された場合、吐出不良の発生の有無の検出が完了していない前記ノズルについては、当該検出の対象となる前記ノズルを間引いて当該検出を行うことを特徴とする記録装置の制御方法。
【請求項７】
複数のノズルが設けられた記録ヘッドを備え、前記ノズルの吐出不良の発生の有無を検出するノズルチェックを実行可能に構成されたる記録装置を制御する制御部により実行されるプログラムであって、
前記制御部を、
複数の前記ノズルについて、順次、吐出不良の発生の有無を検出していくと共に、ノズルチェックと並行して実行することが出来ない所定の動作の実行が指示されたか否かを監視し、前記所定の動作の実行が指示された場合、吐出不良の発生の有無の検出が完了していない前記ノズルについては、当該検出の対象となる前記ノズルを間引いて当該検出を行うノズルチェック実行部として機能させることを特徴とするプログラム。
【手続補正２】
【補正対象書類名】明細書
【補正対象項目名】０００５
【補正方法】変更
【補正の内容】
【０００５】
上記目的を達成するために、本発明は、記録装置であって、複数のノズルが設けられた記録ヘッドと、前記ノズルの吐出不良の発生の有無を検出するノズルチェックを実行するノズルチェック実行部と、を備え、前記ノズルチェック実行部は、複数の前記ノズルについて、順次、吐出不良の発生の有無を検出していくと共に、所定の動作の実行が指示されたか否かを監視し、前記所定の動作の実行が指示された場合、吐出不良の発生の有無の検出が完了していない前記ノズルについては、当該検出の対象となる前記ノズルを間引いて当該検出を行うことを特徴とする。
この構成によれば、ノズルチェックを行っている間に、ノズルチェックと並行して実行することが出来ない動作が指示された場合、吐出不良の発生の有無の検出が完了していないノズルについては、当該検出の対象となるノズルを間引いて当該検出が行われるため、その分、ノズルチェックが完了するまでの時間が短縮され、当該動作の実行が開始されるまでの待ち時間が短縮され、利便性の向上につながる。また、吐出不良の発生の有無の検出が完了していないノズルについては、全く、当該検出が行われないのではなく、当該検出の対象となるノズルが間引かれたうえで、当該検出が実行されるため、当該検出が完了していないノズル群に対して、偏りのない均一な当該検出を実行でき、正常な吐出が行われることに対する信頼性の低下を抑制できる。
【手続補正３】
【補正対象書類名】明細書
【補正対象項目名】０００６
【補正方法】変更
【補正の内容】
【０００６】
また、上記発明の記録装置であって、本発明は、前記ノズルチェック実行部は、ノズルチェックを実行する場合、過去のノズルチェックにおいて吐出不良の発生の有無の検出の対象とならなかった前記ノズルについて、優先的に、当該検出を実行することを特徴とする。
この構成によれば、過去のノズルチェックにおいて吐出不良の発生の有無の検出の対象とならなかったノズルについて、優先的に、当該検出を実行するため、当該検出が行われないノズルが発生することを防止でき、ノズルについて、より偏りのない均一な当該検出を実行できる。
また、前記所定の動作は、前記ノズルを間引いた前記検出が完了した後、実行されることを特徴とする。
また、前記所定の動作は、ノズルチェックと並行して実行することが出来ない動作であることを特徴とする。
【手続補正４】
【補正対象書類名】明細書
【補正対象項目名】０００８
【補正方法】変更
【補正の内容】
【０００８】
また、上記目的を達成するために、本発明は、複数のノズルが設けられた記録ヘッドを備え、前記ノズルの吐出不良の発生の有無を検出するノズルチェックを実行可能に構成されたる記録装置の制御方法であって、複数の前記ノズルについて、順次、吐出不良の発生の有無を検出していくと共に、所定の動作の実行が指示されたか否かを監視し、前記所定の動作の実行が指示された場合、吐出不良の発生の有無の検出が完了していない前記ノズルについては、当該検出の対象となる前記ノズルを間引いて当該検出を行うことを特徴とする。
この制御方法によれば、ノズルチェックを行っている間に、ノズルチェックと並行して実行することが出来ない動作が指示された場合、吐出不良の発生の有無の検出が完了していないノズルについては、当該検出の対象となるノズルを間引いて当該検出が行われるため、その分、ノズルチェックが完了するまでの時間が短縮され、当該動作の実行が開始されるまでの待ち時間が短縮され、利便性の向上につながる。また、吐出不良の発生の有無の検出が完了していないノズルについては、全く、当該検出が行われないのではなく、当該検出の対象となるノズルが間引かれたうえで、当該検出が実行されるため、当該検出が完了していないノズル群に対して、偏りのない均一な当該検出を実行でき、正常な吐出が行われることに対する信頼性の低下を抑制できる。
【手続補正５】
【補正対象書類名】明細書
【補正対象項目名】０００９
【補正方法】変更
【補正の内容】
【０００９】
また、上記目的を達成するために、本発明は、複数のノズルが設けられた記録ヘッドを備え、前記ノズルの吐出不良の発生の有無を検出するノズルチェックを実行可能に構成されたる記録装置を制御する制御部により実行されるプログラムであって、前記制御部を、複数の前記ノズルについて、順次、吐出不良の発生の有無を検出していくと共に、所定の動作の実行が指示されたか否かを監視し、前記所定の動作の実行が指示された場合、吐出不良の発生の有無の検出が完了していない前記ノズルについては、当該検出の対象となる前記ノズルを間引いて当該検出を行うノズルチェック実行部として機能させることを特徴とする。
このプログラムを実行すれば、ノズルチェックを行っている間に、ノズルチェックと並行して実行することが出来ない動作が指示された場合、吐出不良の発生の有無の検出が完了していないノズルについては、当該検出の対象となるノズルを間引いて当該検出が行われるため、その分、ノズルチェックが完了するまでの時間が短縮され、当該動作の実行が開始されるまでの待ち時間が短縮され、利便性の向上につながる。また、吐出不良の発生の有無の検出が完了していないノズルについては、全く、当該検出が行われないのではなく、当該検出の対象となるノズルが間引かれたうえで、当該検出が実行されるため、当該検出が完了していないノズル群に対して、偏りのない均一な当該検出を実行でき、正常な吐出が行われることに対する信頼性の低下を抑制できる。